(57)【要約】【課題】本発明は、各種電子機器などに用いられるタッチパネルを提供することを目的とする。【解決手段】本発明によるタッチパネル４００は、複数の個別電極１２１と複数の配線１４０とを含む第１基板部１００と、第２電極３２０とを有する。第２電極３２０は、配線１４０に絶縁状態で重なる位置に配置され、配線１４０は、隣り合う個別電極１２１につながる配線１４０間の空間位置を所定隙間を残して埋める拡大部１４２を有し、拡大部１４２が第２電極３２０との対面箇所に配置されている構成とした。【選択図】図５
2018018237.tif 000002
【特許請求の範囲】
【請求項１】
複数の個別電極からなる第１電極群、および前記個別電極につながる複数の配線を有する第１基板部と、
前記第１基板部に重ねて配置される第２電極とを備え、
前記第２電極は、前記複数の配線に絶縁状態で重なる位置に配置され、
前記個別電極につながる配線は、隣り合う前記個別電極につながる配線間の空間位置を所定隙間を残して埋める拡大部を有し、
前記拡大部は、前記第２電極との対面箇所に配置されていることを特徴とする、タッチパネル。
【請求項２】
前記第２電極が線状であり、
前記対面箇所は所定の幅を有し、
前記拡大部は、前記幅より広い寸法である請求項１に記載のタッチパネル。
【請求項３】
前記個別電極につながる配線は、引出部と前記拡大部と細幅部とを含み、
複数の前記個別電極につながる配線は並べて配置され、
複数の前記拡大部どうしが、第１の方向に沿って並べて配置され、複数の前記細幅部どうしは、前記第１の方向に交差する前記第２の方向に並べて配置され、
前記第２電極は、前記複数の拡大部および前記複数の細幅部における最外周縁をつないだ範囲内に対応して配置されている請求項１に記載のタッチパネル。
【請求項４】
前記個別電極につながる配線は、さらに前記細幅部につながる第２拡大部を含み、
前記第２拡大部どうしは、前記第２の方向に沿って並べて配置され、
前記複数の第２拡大部は、複数配置された前記第２電極の内の一つの前記第２電極との対面箇所に配置されている請求項３に記載のタッチパネル。
【請求項５】
前記所定隙間は、３０μｍ以上５０μｍ以下である請求項１に記載のタッチパネル。
【請求項６】
前記第２電極は、前記個別電極からの電界を受信する請求項１に記載のタッチパネル。
【請求項７】
前記第２電極を設置した第２基板部を前記第１基板部に積層した請求項１に記載のタッチパネル。
【請求項８】
複数配置された前記第２電極の内の一つの前記第２電極が、前記第１基板部に設けられた外周導電部に絶縁状態で重なる位置関係である請求項１に記載のタッチパネル。
【発明の詳細な説明】
【技術分野】
【０００１】
本発明は、各種電子機器などに用いられるタッチパネルに関する。
【背景技術】
【０００２】
各種電子機器は、表示部の前方にタッチパネルを搭載した入力操作部を有する。操作者は、透明なタッチパネルを通じて表示部の内容を視認し、タッチパネルへの指でのタッチ操作で電子機器の所定機能を選択して動作させる。近年の電子機器においては、手や指でのホバー操作を検出する機能を有する構成とすることも提案されている。（特許文献１）。
【先行技術文献】
【特許文献】
【０００３】
【特許文献１】国際公開第２００８／０９３６８３号
【発明の概要】
【発明が解決しようとする課題】
【０００４】
電子機器の小型化に応じて、タッチパネルにおいても小型化を求められ、特にタッチパネルでは額縁部分の狭い構成品を要望される。そして、タッチ操作の検出に加えて、ホバー操作に対しても良好に検出可能なタッチパネルへの開発要望も高い。
【０００５】
本発明は、この問題を解決するもので、タッチ操作に加えてホバー操作に対しても良好な検出ができる狭額縁構成のタッチパネルを提供することを目的とする。
【課題を解決するための手段】
【０００６】
この目的を達成するために本発明によるタッチパネルは、複数の個別電極からなる第１電極群、および個別電極につながる複数の配線を有する第１基板部と、第１基板部に重ねて配置される第２電極とを含む。第２電極は、複数の配線に絶縁状態で重なる位置に配置され、個別電極につながる配線は、隣り合う個別電極につながる配線間の空間位置を所定隙間を残して埋める拡大部を有し、拡大部は、第２電極との対面箇所に配置されている構成とする。
【０００７】
これであれば、第１電極群でタッチ操作に応じた検出を行え、また第２電極でホバー操作に応じた検出を良好に行える狭額縁構成のタッチパネルを得ることができる。
【発明の効果】
【０００８】
以上のように本発明によれば、第１電極群でタッチ操作に応じた検出を行え、また第２電極でホバー操作に応じた検出を良好に行える狭額縁構成のタッチパネルを提供できる。
【図面の簡単な説明】
【０００９】
【図１】本発明の実施形態によるタッチパネルの模式的な断面図
【図２】同第１基板部の送信電極を配設した基板の平面図
【図３】同第１基板部の受信電極を配設した基板の平面図
【図４】同第２基板部の平面図
【図５】図３中に示したＡ部分の拡大図
【図６】図３中に示したＢ部分の拡大図
【発明を実施するための形態】
【００１０】
本実施の形態によるタッチパネルについて、以下に図面を用いて説明する。
【００１１】
（実施の形態）
図１は本発明の実施形態によるタッチパネルの模式的な断面図、図２は同第１基板部の送信電極を配設した基板の平面図、図３は同第１基板部の受信電極を配設した基板の平面図、図４は同第２基板部の平面図である。なお、図１は、見易くするために厚み方向に拡大して示している。
【００１２】
図１に示すように、タッチパネル４００は、第１基板部１００と第２基板部３００とを積層状態で一体化させて構成されている。第１基板部１００は、中央位置に第１電極群を有する。第１電極群は、タッチ操作などを検出するために設けられている。第１電極群は、図２および図３に示したように、送信電極１１０と受信電極１２０からなる。送信電極１１０は複数の個別電極１１１を含む。個別電極１１１には配線１３０が接続されている。また、受信電極１２０は複数の個別電極１２１を含む。個別電極１２１には配線１４０が接続されている。そして、第１基板部１００に重なる第２基板部３００には、図４に示すように、四つの第２電極３２０が配置されている。
【００１３】
第１基板部１００は２枚の透明性を有する基板１０１、１０２を含む。基板１０１、１０２の外形は矩形状である。基板１０１、１０２の材質は、例えばＰＥＴ等の樹脂シートである。送信電極１１０は基板１０１の一方の面に配設され、受信電極１２０は基板１０２の一方の面に配設されている。基板１０１、１０２どうしは、送信電極１１０を形成した面と受信電極１２０を形成した面を同じ方向に向けて透明性を有する粘着層２００Ａで貼り合せられている。
【００１４】
送信電極１１０は、図２に示したように、Ｙ軸方向（Ｙ１−Ｙ２に沿う方向）に直線状に伸びる複数の個別電極１１１を含む。複数の個別電極１１１は、Ｘ軸方向（Ｘ１−Ｘ２に沿う方向）に定ピッチで配置されている。個別電極１１１からの配線１３０は基板１０１の周縁部を引き回され、Ｙ２側の外縁位置で対応するＦＰＣに接続可能に構成されている。
【００１５】
受信電極１２０は、図３に示したように、Ｘ軸方向に直線状に伸びる複数の個別電極１２１を含む。複数の個別電極１２１は、Ｙ軸方向に定ピッチで配置されている。個別電極１２１からの配線１４０は基板１０１の周縁部を引き回され、Ｙ２側の外縁位置で対応するＦＰＣに接続可能に構成されている。
【００１６】
なお、個別電極１１１、個別電極１２１は、一定幅の構成であってもよいし、部分的に幅が異なる形状などであってもよい。例えば矩形部を定期的に有する形状などであってもよい。また、個別電極１１１と個別電極１２１は直交関係で配置されることが望ましい。個別電極１１１と個別電極１２１は交差する配置であってもよい。
【００１７】
第２基板部３００は、図４に示したように、透明性を有する第２基板３１０と四つの第２電極３２０とを有する。第２基板３１０は、第１基板部１００とほぼ同じ外形の矩形状である。第２基板３１０の材質は、ＰＥＴ等の透明性を有する樹脂シートである。第２電極３２０の外形は直線状で、銅等の導電性を有する材質で形成されている。第２基板３１０の周縁部のそれぞれの位置に第２電極３２０が配置されている。第２電極３２０は互いに独立している。各々の第２電極３２０からの配線３３０は第２基板３１０の周縁部を引き回されて、Ｙ２側の外縁位置で対応するＦＰＣに接続可能に構成されている。
【００１８】
タッチパネル４００は、第２基板部３００と第１基板部１００との間を図１に示したように透明性を有する粘着層２００Ｂで貼り合せて構成されている。そして、タッチパネル
４００は、第２基板部３００とカバーレンズ５００との間を透明性を有する粘着層２００Ｃを介して貼り合せて電子機器に搭載される。
【００１９】
タッチパネル４００では、第１基板部１００の周縁部に配線１３０、１４０が配置されている。そして、第２電極３２０の内の二つは、配線１４０に重なる位置関係で配置され、第２電極３２０の内の一つは、配線１３０、１４０に重なる位置関係で配置されている。
【００２０】
ここで、受信電極１２０の配線１４０の説明、および配線１４０に重なる位置関係で設置した第２電極３２０について説明する。
【００２１】
複数の配線１４０は、図３に示したように、基板１０２のＸ１側およびＸ２側の周縁部とＹ２側の周縁部に配置されている。つまり、受信電極１２０の個別電極１２１の両端に配線１４０がそれぞれ接続されている。個別電極１２１の一端に接続された配線１４０はＸ１側の周縁部およびＹ２側の周縁部に配置され、個別電極１２１の他端に接続された配線１４０はＸ２側の周縁部およびＹ２側の周縁部に配置されている。両者の配線１４０は線対称の関係で配置されている。以下では、図３に加えて図５および図６を用いて、Ｘ１側の周縁部からＹ２側の周縁部に至る配置状態である配線１４０について説明する。図５は、図３中に示したＡ部分の拡大図、図６は図３中に示したＢ部分の拡大図である。
【００２２】
図３に示すように、配線１４０は、受信電極１２０の個別電極１２１毎につながる引出部１４１と、引出部１４１につながる拡大部１４２と、拡大部１４２につながってＹ軸方向に沿って伸びる第１部分１４３および第１部分１４３から曲がった後にＸ軸方向に伸びる第２部分１４４とを含む細幅部１４５と、第２部分１４４につながりＹ軸方向に伸びる第２拡大部１４６とを含む。第２拡大部１４６は端子部１５０に接続されている。引出部１４１から端子部１５０までは銅などの導電性の高い材質で一体形成されている。配線１４０は端子部１５０を含まない構成であってもよい。
【００２３】
ここで、図６に示すようにＹ２側の周縁部において、細幅部１４５の第２部分１４４は、互いの間に所定隙間をあけてＹ軸方向に沿って定まった第１のピッチで並べられている。第２部分１４４のＹ軸方向に沿う全体の幅寸法はＬ１である。つまり、最も外側位置および最も内側位置に配置された第２部分１４４の外面どうしの間の寸法がＬ１である。寸法Ｌ１は、第２部分１４４どうし間の所定隙間を含む。この寸法Ｌ１を基準として拡大部１４２は大きさなどを設定している。続いてその説明を行う。
【００２４】
図５に示すように、Ｙ１側の端部に位置する個別電極１２０Ａは配線１４０Ａ（１４０）に接続されている。つまり、個別電極１２０Ａの一端に引出部１４１Ａが接続され、引出部１４１Ａは拡大部１４２Ａにつながっている。拡大部１４２ＡのＸ軸方向に沿う寸法はＬ１である。そして、拡大部１４２ＡのＹ２側での外方角部に、Ｙ軸方向に沿ってのびる第１部分１４３Ａがつながっている。なお、図５ではそれぞれの拡大部１４２の外形を判り易くするために拡大部１４２に水平方向にハッチングをしている。
【００２５】
個別電極１２０ＡのＹ２側には個別電極１２０Ｂが配置されている。個別電極１２０Ｂの一端に配線１４０Ｂの引出部１４１Ｂが接続されている。そして、配線１４０Ｂの引出部１４１Ｂは拡大部１４２Ｂにつながっている。配線１４０Ｂは、配線１４０Ａよりも内側位置に配置されている。配線１４０Ａと配線１４０Ｂとの間には互いの絶縁性の確保のために所定隙間が設けられている。なお、所定隙間の寸法設定は、後述する第２電極３２０の検出時の特性に影響するため、小さい所定隙間で設定することが望ましい。例えばエッチングで配線１４０を形成する場合には、所定隙間は３０μｍ以上５０μｍ以下が望ましい。
【００２６】
拡大部１４２ＢのＸ軸方向に沿う寸法は、拡大部１４２Ａの寸法Ｌ１から第１部分１４３Ａと所定隙間との合計寸法を差し引いた寸法である。換言すれば、拡大部１４２Ａの内側の辺と拡大部１４２Ｂの内側の辺とは一直線である関係で拡大部１４２Ｂは配線１４０Ａに所定隙間をあけて隣接して配置されている。拡大部１４２ＢのＹ２側の外方角部には、Ｙ軸方向に沿ってのびる第１部分１４３Ｂがつながっている。第１部分１４３Ｂは、第１部分１４３Ａに対してＸ２側に所定隙間をあけて並べて配置されている。
【００２７】
同様に、個別電極１２０Ｂに対してＹ２側に配置された個別電極１２０Ｃの配線１４０Ｃは、配線１４０Ｂよりも内側位置で基板１０２上に配置されている。つまり、個別電極１２０Ｃの一端に配線１４０Ｃの引出部１４１Ｃがつながり、引出部１４１Ｃには拡大部１４２Ｃがつながっている。拡大部１４２ＣのＸ軸方向に沿う寸法は、拡大部１４２ＢのＸ軸方向に沿う寸法から第１部分１４３Ｂと所定隙間との合計寸法を差し引いた寸法である。そして、拡大部１４２Ｂの内側の辺と拡大部１４２Ｃの内側の辺とは一直線上である関係で拡大部１４２Ｃは配線１４０Ｂに所定隙間をあけて並べて配置されていること、拡大部１４２ＣのＹ２側の外方角部につながったＹ軸方向に沿ってのびる第１部分は、第１部分１４３Ｂに所定隙間をあけて並べて配置されていることも同様である。
【００２８】
以上のように、配線１４０（１４０Ａ、１４０Ｂ、１４０Ｃ、…）は配置されている。そして、基板１０２のＸ１側の周縁部には、並べて配置された拡大部１４０Ａ、１４０Ｂ、…および並べて配置された細幅部１４５の第１部分１４３Ａ、１４３Ｂ、…において、最外周縁をつないだ矩形状の範囲が画定される。この範囲は所定隙間を含む。同様に基板１０２のＸ２側の周縁部にも矩形状の範囲が画定される。なお、この場合では、Ｙ軸方向が第１の方向に相当し、Ｘ軸方向は第２の方向に相当する。
【００２９】
タッチパネル４００の第２電極３２０は図４に示したように線状である。第２電極３２０のうちの二つの第２電極３２０Ａ、３２０Ｂは、上述したＸ１側の矩形状の範囲およびＸ２側の矩形状の範囲に重なる関係で配置されている。第２電極３２０Ａ、３２０Ｂは矩形状の範囲内に収まる大きさである。
【００３０】
矩形状の範囲内は、配線１４０どうし間に設けた所定間隔を除いて、全て配線１４０の金属が敷き詰められた状態になっている。そして、第２電極３２０Ａの矩形状の範囲への対面箇所は、図５に点線で示したように、矩形状の範囲内に収まっている。例えば、拡大部１４２Ａ、１４２Ｂ、…は第２電極３２０Ａの幅寸法よりも広幅の寸法である。そして、上述説明をしたように、拡大部１４２毎のＸ軸方向に沿う寸法はＹ２側に向うにつれて短くなる。すなわち、矩形状の範囲はＹ２側に向うにつれて複数の細幅部１４５で占められる面積の比率が高くなる。このため、第２電極３２０Ａとの対面箇所は複数の拡大部１４２および複数の細幅部１４５を含む。
【００３１】
以上のように、タッチパネル４００では、Ｘ１側およびＸ２側に設置された第２電極３２０Ａおよび第２電極３２０Ｂの裏面全体が、金属を敷き詰めた状態の矩形状の範囲に対向している。このため、第２電極３２０Ａおよび第２電極３２０Ｂは、表示部等からのノイズの影響を抑えられる。
【００３２】
そして、例えば第２電極３２０Ａにおいて拡大部１４２を設けていない構成であれば、第２電極３２０ＡのＹ１側の箇所はＹ２側の箇所よりも金属と対向する面積が少なくなる。この場合では第２電極３２０ＡのＹ１側での容量値とＹ２側での容量値が異なる。これに対して、タッチパネル４００の場合、第２電極３２０Ａの裏面全体は、金属を敷き詰めた矩形状の範囲に対向しているので、上述した第２電極３２０Ａ内での容量値の差は少なくなる。タッチパネル４００の第２電極３２０Ａの上空で手などを移動させるホバー操作
を行い、そのホバーの検出を行う場合、ホバーの検出は容量の変化の仕方で位置を検出するが、タッチパネル４００の第２電極３２０Ａでは、Ｙ１側、Ｙ２側での基準となる容量が均一である。またノイズの受け方も少ない。このためにタッチパネル４００の第２電極３２０Ａではホバーの検出精度が上がる。
【００３３】
しかも第２電極３２０Ａ、３２０Ｂは周縁部つまり額縁部に配置された配線１４０に重なる配置状態であるため、狭額縁で外形を小型化したタッチパネル４００に構成できる。
【００３４】
以上のように、タッチパネル４００は、狭額縁で、タッチ操作の検出に加えてホバー操作の検出が良好に行える一体構成品として提供でき、取り扱い性などにも優れる。
【００３５】
続いて、Ｙ２側に配置した第２電極３２０Ｃについて説明する。
【００３６】
Ｙ２側の周縁部において、複数の細幅部１４５の第２部分１４４は、互いの間に所定隙間をあけてＹ軸方向に定まった第１のピッチで並べられている。第２部分１４４の終端位置には第２拡大部１４６が設けられている。各々の第２拡大部１４６は対応する端子部１５０に各々つながっている。端子部１５０は、対応するＦＰＣを装着するために設けられている。複数の端子部１５０は、Ｘ軸方向に定まった第２のピッチで配置されている。第２のピッチは第１のピッチよりも大きい。このため、第２部分１４４の幅のままで第２部分１４４を曲げて端子部１５０につなぐ構成であると、曲げ位置から端子部１５０までの間の隣り合う配線１４０の間に空間が残る。第２拡大部１４６は、隣り合う配線１４０どうしの間に所定隙間を残して上述した空間を埋める大きさで個々に設定されている。なお、所定隙間は上述説明したＸ１側での配線１４０どうし間の設定と同じであると望ましい。
【００３７】
第２拡大部１４６について図６を用いて簡単に説明する。なお、図６ではそれぞれの第２拡大部１４６の外形を判り易くするために第２拡大部１４６に斜め方向にハッチングをしている。図６に示したように、最も内周位置に配置された第２部分１４４Ａは第２拡大部１４６Ａにつながっている。第２部分１４４Ａに対してＹ２側に第１のピッチで第２部分１４４Ｂが配置され、第２部分１４４Ｂは第２拡大部１４６Ｂにつながっている。第２拡大部１４６Ｂは、所定隙間をあけて第２拡大部１４６ＡのＸ１側に隣接して配置されている。同様に、第２部分１４４Ｃにつながる第２拡大部１４６Ｃが所定隙間をあけて第２拡大部１４６ＢのＸ１側に隣接して配置されている。第２拡大部１４６Ａ、１４６Ｂ、１４６Ｃ、…どうしのＸ軸方向に沿う寸法は同じである。一方、第２拡大部１４６Ａ、１４６Ｂ、１４６Ｃ、…どうしのＹ軸方向に沿う寸法はＸ１側にいくにつれて第２部分１４４と所定隙間の合計寸法だけ順に小さくなっている。なお、第２拡大部１４６Ａ、１４６Ｂ、１４６Ｃ、…は、Ｙ２側の端部位置は揃えて配置されている。
【００３８】
このため、基板１０２には、Ｙ２側においても、細幅部１４５と第２拡大部１４６とによって画定される金属を敷き詰めた矩形状の範囲となる一部を有する。そして、矩形状の範囲の残部は、送信電極１１０を有する基板１０１に構成され、次にその説明を行う。
【００３９】
基板１０１には、個別電極１１１の一端につながる配線１３０が設けられている。配線１３０は、図２に示したように、個別電極１１１につながる引出部１３１と、引出部１３１につながり、Ｘ軸方向にのびる細幅部１３２と、細幅部１３２につながりＹ軸方向に伸びる拡大部１３３と、拡大部１３３につながる端子部１３４を含む。配線１３０は、銅などの導電性の高い材質で一体形成されている。拡大部１３３は端子部１３４を含まない構成であってもよい。複数の細幅部１３２はＹ軸方向に上述した第１のピッチで所定間隔をあけて並べて配置されている。複数の端子部１３４はＸ軸方向に沿って上述した第２のピッチで配置されている。
【００４０】
拡大部１３３の配置状態は、基板１０１の第２拡大部１４６の場合と同様である。つまり、拡大部１３３どうしは、細幅部１３２を曲げて配置したときに第１のピッチと第２のピッチとの差で生じる隣り合う配線１３０間の空間を埋めるように所定間隔をあけて並べて配置されている。拡大部１３３どうしのＹ２側の端部位置は揃えられている。なお、拡大部１３３のＸ軸方向に沿う寸法は、第２拡大部１４６と同じである。なお、複数の細幅部１３２は複数の第２部分１４４よりも内周位置に配置されている。このため、拡大部１３３のＹ軸方向に沿う寸法は、第２拡大部１４６に対して長寸である。この第２拡大部１４６の並べられている位置が、金属を敷き詰めた矩形状の範囲の残部に対応する。なお、この場合では、Ｘ軸方向が第１の方向に相当し、Ｙ軸方向は第２の方向に相当する。
【００４１】
以上のように、タッチパネル４００のＹ２側では、金属を敷き詰めた矩形状の範囲は、基板１０２における細幅部１４５および第２拡大部１４６の並置箇所、基板１０１における第２拡大部１４６の並置箇所で形成される。Ｙ２側に設置された第２電極３２０Ｃは、第２電極３２０Ａ、３２０Ｂと同様に、この範囲内に収まる大きさで設定されている。つまり、第２電極３２０Ｃにおいても、裏面全体が、金属を敷き詰めた矩形状の範囲に対向している状態である。このため、第２電極３２０Ｃについても、第２電極３２０Ａ等と同様に、基準となる容量は均一で、表示部等からのノイズの影響を抑えられ、第２電極３２０Ｃのホバーの検出精度が上がることは上述したとおりである。また、ホバー操作の検出が良好に行える狭額縁の構成にできることも同じである。
【００４２】
また、Ｙ１側に設置された第２電極３２０Ｄは、基板１０２の受信電極１２０の外周を囲うように設けた外周導電部１３８に裏面全体を対向させて配置されている。つまり、第２電極３２０Ｄの対面箇所は外周導電部１３８内に収まっている。このため、第２電極３２０Ｄにおいても、第２電極３２０Ａ等と同様に、基準となる容量は均一で、表示部等からのノイズの影響を抑えられており、ホバー操作の検出が良好に行える。なお、外周導電部１３８は配線１３０，１４０と同じ材質であると望ましい。
【００４３】
以上のように、タッチパネル４００は、配線１３０，１４０などの金属で覆われる矩形状の範囲などに対して第２電極３２０を対向させて配置して構成されている。
【００４４】
タッチパネル４００は、カバーレンズ５００に装着して電子機器に搭載される。タッチパネル４００の中央部は、表示部の前に配置される。使用者は、表示部の表示内容を視認しつつ、カバーレンズ５００の表面を指等でタッチ操作をする。これによって、送信電極１１０からの電界を受信する受信電極１２０の静電容量が変化し、この変化に応じて操作位置を制御部によって特定して電子機器の対応する機能が動作する。
【００４５】
四つの第２電極３２０は、所謂ホバー操作の検出用に設けている。タッチパネル４００では、送信電極１１０からの電界を用いてホバーの検出を行う。すなわち、四つの第２電極３２０は、送信電極１１０に対して第２の受信電極になっている。例えば使用者の手や指が、空中で第２電極３２０に近づいてくると、近づいてくる側に位置する第２電極３２０に静電容量の変化が生じる。この変化を検出してホバー操作がされていると制御部は判定する。例えばそれぞれの第２電極３２０に対して、制御部は、短い時間間隔で時計廻り方向に第２電極３２０を順に検出していく。タッチパネル４００では、四つの第２電極３２０でのホバーの検出精度が高いためホバー操作を良好に検出できる。手や指の近接してくる移動状態に加えて手などを平面的に移動させる方向についても四つの第２電極３２０用いて精度よく検出可能である。なお、第２電極３２０の検出の順序は反時計廻り方向などであってもよい。または、同時に複数の第２電極３２０を検出するなどとしてもよい。
【００４６】
なお、以上では、第１基板部１００を２枚の基板１０１、１０２を積層した構成のタッ
チパネル４００で説明したが、第１基板部１００の構成や第１電極群の構成などは他の構成であってもよい。例えば、一枚の基板に第１電極群を配置した構成などであってもよい。
【００４７】
第２基板部３００においても、第２基板３１０を含まずに第２電極３２０を配線１４０などに絶縁状態で配置した構成などにしてもよい。また、第２電極３２０の形状や配置数なども適宜設定してもよい。
【産業上の利用可能性】
【００４８】
本発明にかかるタッチパネルは、タッチ操作に加えてホバー操作に応じた検出を良好に行える狭額縁構成のものを提供できるという効果を有し、各種電子機器などに用いると有用である。
【符号の説明】
【００４９】
１００  第１基板部
１０１、１０２  基板
１１０  送信電極
１１１、１２１  個別電極
１２０  受信電極
１３０、１４０、１４０Ａ、１４０Ｂ、１４０Ｃ、３３０  配線
１３１、１４１、１４１Ａ、１４１Ｂ、１４１Ｃ  引出部
１３２、１４５  細幅部
１３３、１４２、１４２Ａ、１４２Ｂ、１４２Ｃ  拡大部
１３４  端子部
１３８  外周導電部
１４３、１４３Ａ、１４３Ｂ  第１部分
１４４、１４４Ａ、１４４Ｂ、１４４Ｃ  第２部分
１４６、１４６Ａ、１４６Ｂ、１４６Ｃ  第２拡大部
１５０  端子部
２００Ａ、２００Ｂ、２００Ｃ  粘着層
３００  第２基板部
３１０  第２基板
３２０、３２０Ａ、３２０Ｂ、３２０Ｃ、３２０Ｄ  第２電極
４００  タッチパネル
５００  カバーレンズ
【図１】
2018018237.tif 000003
【図２】
2018018237.tif 000004
【図３】
2018018237.tif 000005
【図４】
2018018237.tif 000006
【図５】
2018018237.tif 000007
【図６】
2018018237.tif 000008